(57)【要約】【課題】  使用者が指等で触れることなく１回使用分の化粧品、医薬品又は消毒剤等の液状、半液状又は粉状処置用物質を傷口や火傷した皮膚に適用可能なパッケージングを提供する。【解決手段】  医薬品等の処置用物質を漏れ防止材料の保護カバー１２内に収めたパッケージング１１である。このパッケージング１１は、２個の分離可能な漏れ防止材料のパーツ１３、１４よりなる保護カバー１２で構成される。アプリケータ２４は、一方のパーツ１３の一面２５に固定され、ファイバー、スポンジ又は類似の構造体よりなり、その内部に医薬品等の処置用物質２０が分散される。保護カバー１２の一方のパーツ１３の外面には包帯片１９を含む剥離カバー１８が固定されている。
2006516414.tif 000002
【特許請求の範囲】
【請求項１】
２個の分離可能な漏れ防止材料の小片（１３、１４）を有する保護カバー（１２）及び該保護カバー内に閉じ込められたアプリケータ（２４）より構成される液状、半液状又は粉状の処置用物質の使い捨てパッケージングにおいて、
前記アプリケータは、前記小片の一方の内面に固定され、ファイバー、スポンジ又は同様の素材の部分により構成され、且つ該素材内に前記物質が分散されていることを特徴とする液状、半液状又は粉状の処置用物質の使い捨てパッケージング。
【請求項２】
前記アプリケータは、前記内面に固定されたフレキシブルで且つ多孔性材料の小片（２８）よりなることを特徴とする請求項１に記載のパッケージング。
【請求項３】
前記物質を含むコットンウール又は類似物の小片が、前記フレキシブルで且つ多孔性材料の小片及び前記内面間に配置されることを特徴とする請求項２に記載のパッケージング。
【請求項４】
前記アプリケータ（２４）は、前記コットンウール又はその類似物の小片を保持するポーチを形成し、該ポーチは、周縁が前記内面及び前記フレキシブルで且つ多孔性の材料の小片の両方に固定された別のフレキシブル材料の小片（２６）を備えることを特徴とする請求項３に記載のパッケージング。
【請求項５】
前記保護カバー（１２）は、前記アプリケータの位置を囲む輪郭接合ライン（３５）により結合された２個のフレキシブルで且つ漏れ防止の小片により作られることを特徴とする請求項２〜４の何れかに記載のパッケージング。
【請求項６】
前記輪郭接合ライン（３５）は、前記アプリケータの占有面積よりも大きい面積を覆い、前記アプリケータは、前記輪郭接合ラインにより接合される面の略中央に位置することを特徴とする請求項５に記載のパッケージング。
【請求項７】
前記輪郭接合ライン（３５）は、低強度接着又は熱シールされた接合ラインであり、前記２個の漏れ防止材料のパーツが剥離効果で分離可能であることを特徴とする請求項５又は６に記載のパッケージング。
【請求項８】
前記輪郭接合ライン（３５）は、前記２個の漏れ防止材料のパーツの対向エッジに延びてプルタブ（３６、３７）を形成し、前記２個のパーツを分離可能にすることを特徴とする請求項５〜７の何れかに記載のパッケージング。
【請求項９】
接着性包帯片（１９）を含む剥離カバー（１８）の１面が前記保護カバー（１２）の外面に固定されることを特徴とする請求項１〜８の何れかに記載のパッケージング。
【請求項１０】
前記包帯片（１９）の外面は、前記保護カバーに固定されていない剥離カバーの部分（４０）の内面に弱く固定されていることを特徴とする請求項９に記載のパッケージング。
【発明の詳細な説明】
【技術分野】
【０００１】
本発明は、液状、半液状又は粉状の処置用物質の使い捨てパッケージングに関する。
また、本発明は、肌に塗布又は適用するのに容易な化粧品、医薬品又は消毒用コンポジション（合成物）に関する。
【背景技術】
【０００２】
旅行中又はスポーツ中には、化粧品、医薬品又は消毒剤の１回使用分をパッケージングし、使用後に廃棄可能にすることが望まれていた。
【０００３】
例えば、オーデコロン又は類似物に浸し、２枚のフレキシブルで且つ漏れ防止材料のシート間にパッケージされたタオル地の小片は周知である。使用者は、漏れ防止小袋（pouch）を開いた後、該小袋内からタオル小片を引き出す必要がある。
【発明の開示】
【発明が解決しようとする課題】
【０００４】
しかし、上述の従来技術では、使用に際して小袋を取り扱う必要があり、小袋に手又は指を触れることがある。この方式の製品は、全ての処置用物質のパッケージングに応用するには適当でない。特に医薬品や消毒剤等の処置用物質の場合、手で触れると、これらの処置用物質が手に付着するのみならず、手に付着している雑菌が処置用物質内に混入する虞れがあるので好ましくない。
【０００５】
本発明は、従来技術の上述した課題に鑑みなされてものであり、１回の適用又は使用に必要な、液状、半液状又は粉状の化粧品、医薬品又は消毒剤等の処置用物質をパッケージングし、使用に際して指等がこれらの処置用物質に触れることなく、肌や傷口に簡単に適用又は使用可能な使い捨てパッケージング（以下、単に「パッケージング」という）を提供することを目的とする。
【課題を解決するための手段】
【０００６】
本発明の液状、半液状又は粉状の処置用物質の使い捨てパッケージングは、２個の分離可能で且つ漏れ防止の小片（ピース）よりなる保護カバー及びアプリケータからなり、このアプリケータは、前記処置用物質が分散したファイバー、スポンジ又はこれらの類似物から構成されており、前記小片の内側に固定されている。
【０００７】
前記保護カバーは、開くことによって適用が容易となるものであり、使用中に使用者の指が処置用物質に触れることはない。アプリケータは、その周縁が上述した一面に固定されたフレキシブルで且つ多孔性の材料の小片よりなる。この多孔性の材料の小片は、代表的には不織布タイプのものが適当である。アプリケータ中に保持可能な処置用物質の量を増加するために、処置用物質を含むコットンウール等の小片が、フレキシブルで且つ多孔質材料の小片の間に設けらるのが好ましい。
【０００８】
現時点で好適な実施形態によると、前記カバーは、２個のフレキシブルで且つ漏れ防止パーツにより製造され、典型的には積層して一体化されたプラスチック及び金属材料のシートで作られる。これら２個のパーツは、アプリケータの位置を包囲する輪郭接合ラインにより一体化される。
【０００９】
本発明の別のパッケージングによると、傷や火傷に適用する１回分の消毒剤又は処置用物質を含み、パッケージングに接着性包帯片が付加されている。さらに詳しく説明すると、この接着性包帯片を含む剥離カバーは、保護カバーの外面に固定されている。
【発明の効果】
【００１０】
本発明の液状、半液状又は粉状の処置用物質の使い捨てパッケージングによると、次のような実用上の顕著な効果が得られる。保護カバーを一度開くだけで、適用が可能であり、処置用物質が使用者の指を覆う又は付着する危険はない。また、パッケージングが使用者に提供されるとき、アプリケータは漏れ防止又は防水性の保護カバー内に完全に包囲されている。
【００１１】
また、接着性包帯片がパッケージングに備えられているので、医薬品等の処置用物質を適用又は使用した後、使用者は傷口を保護するために他の器具等を探して適当な傷口保護片を見つけ出す必要がない。本発明の接着性包帯片は、容易に、片手でも適用又は貼り付け可能とするために、この包帯片の外面は、保護カバーに固定されていない剥離カバーの部分の一面に弱く固定されている。このタイプの包帯片は米国特許第５５１１６８９号に開示されているが、本発明では、それをパッケージングと一体化することにより、その使用をさらに容易にする利点がある。
【発明を実施するための最良の形態】
【００１２】
以下、本発明による液状、半液状又は粉状の処置用物質の使い捨てパッケージングの好適な実施例の構成及び使用態様を、添付図面を参照して詳細に説明する。
【００１３】
先ず、図１は、本発明による液状、半液状又は粉状の処置用物質の使い捨てパッケージング１１の好適実施形態の上側から見た斜視図を、図２は、図１のパッケージング１１の裏側から見た斜視図を、図３は、図２中の線ＩＩＩ−ＩＩＩに沿うパッケージ１１の断面図を、図４は、使用のために開けられたパッケージングの斜視図を、図５は、アプリケータを傷口に適用しようとしている状態図を、図６は、図１に示すパッケージングの接着性包帯片を一部剥離した状態を示す斜視図を、図７は、パッケージングの保護カバーから剥離した剥離カバーを傷口に近付けている状態を示す斜視図を、図８は、剥離カバーの包帯片で傷口を保護している状態を示す斜視図をそれぞれ示す。
【００１４】
本発明のパッケージング１１は、カバー（「保護カバー」ともいう）１２の外観形態を示し、カバー１２は、漏れ防止又は防水性の材料の２個のパーツ１３、１４により形成されている。使用時には、この保護カバーは、その面の１つに別の保護カバー１８を有することもある。この別カバー１８は、剥離可能であり、且つ接着性包帯片１９を保持する。この剥離カバー１８及び包帯片１９の特徴は後述するが、このカバー１８を設けるかどうかは、単なるオプションであり、パッケージング１１に含まれる処置用物質２０で傷口や火傷を処置するとき、その後にこの包帯片１９で保護しなければならないことを意味するものではない。
【００１５】
カバー１２は、２個の漏れ防止材料のパーツ又は小片１３、１４の一方の一面２５に固定されているアプリケータ２４を含んでいる。このアプリケータ２４は、ファイバー（繊維）、スポンジ又は類似物の素材を含み、処置用物質２０は該素材内に分散されている。
【００１６】
図の例では、アプリケータ２４は、フレキシブルで且つ多孔性の材料の小片２８を備え、小片２８は、アプリケータの内面に固定されている。この小片２８は、処置用物質を適用するために必要な全ての品質を有する不織布タイプの材料のシートから形成されるが、好ましくは、該不織布材料は綿くずのないコットンをベースにするのが良い。
【００１７】
実施例では、アプリケータ２４は、コットンウール等の小片を内部に保持する小袋(pouch)を形成している。この小袋は、その周縁が保護カバーの内面２５に固定されている。この場合には、これらの両パーツは同じ形状寸法であり、輪郭周縁接合ライン３０により一体化されている。小袋内には、コットンウールの小片２８が保持されている。アプリケータの小袋の壁を形成する２つのパーツは一体化され、輪郭周縁接合ライン３０の形状に相当する加熱具を押し当てて、形成材料を溶融させて漏れ防止パーツ１３の内面２５に固着させる。
【００１８】
フレキシブルで且つ漏れ防止材料の２個のパーツ１３、１４も相互に、アプリケータ小袋の位置を包囲する輪郭接合ライン３５によって固着されている。処置用物質を適用又は塗布するため、保護カバー１２を形成する前記パーツ１３、１４の各表面積は、輪郭接合ライン３５で区画されるエリアの略中央に固定され、内側に収納されるアプリケータ２４の面積よりは大きい。すなわち、輪郭接合ライン３５は、アプリケータ２４により占有される面積よりも大きい域を包囲する。輪郭接合ライン３５は、弱い接着又は熱シールによって施されたものであり、両パーツ１３、１４は、剥離に容易なように接合されている。保護カバー１２を構成する漏れ防止のパーツ１３，１４の材料としては、例えば、金属化されたプラスチック材料の積層体が好適である。  
【００１９】
前記パーツ１３，１４の素材を例示すると、アプリケータ２４が固定されているパーツ１３は、厚さ１２μｍのポリエチレン（ＰＥ）層、金属化した層及び厚さ８０μｍのＰＥ層の３層積層体が適当であり、これらのパーツ１３，１４は剥離可能である。他の素材の積層体で製造は可能である。これらのパーツ１３，１４の一方が、他方に対して押圧され、輪郭接合ライン３５に対応する形状の加熱ツールを押し当て、次いでアプリケータ２４が一方のパーツに固定された後に接合を完了する。
【００２０】
図２及び図４に示すように、輪郭接合ライン３５の長さの一部は、２個のパーツ１３、１４の対向エッジから離れた位置へ延び、２個のプルタブ（引張り片）３６、３７を形成する必要がある。これら２個のプルタブを摘んで、パーツ１３、１４の分離を可能にする。パーツ１３，１４により形成された保護カバー１２内にアプリケータが収納された後、アプリケータ２４に対してガンマ線等により殺菌処理を行う。
【００２１】
処置用物質２０は、保護カバー１２内のコットンウールの小片及び多孔性の材料の小片２８を湿らせている。使用者が、処置用物質２０を適用するには、保護カバー１２を少なくとも３辺で開けば十分である。図５に示すように、保護カバー１２を開くと、アプリケータ２４の取り出しが容易となり、アプリケータ２４の処置用物質２０を素早く、安全に利用可能にする。
【００２２】
接着性包帯片１９を含む剥離カバー１８は、包帯片１９を収納するように保護カバー１２の外面に適宜固定されている。図６に示すように、包帯片の使用の必要時には、保護カバー１３の外面に固定されている剥離カバー１８を引き剥がし、内部に収納されている、ライナー４０に支持された包帯片１９をそのまま取り出し、所用個所に配置後、ライナー４０をはがす。
【００２３】
包帯片１９の外面は、（例えば、適度の接着力で）保護カバー１３に固定されていない剥離カバー１８に弱く固定されている。剥離カバー１８が開かれると、包帯片１９は引っ張られているライナー４０に固定されたままになっている。包帯片１９は、殺菌された領域に触れる虞れがなく、剥離カバー１８の分離部分を引っ張ることにより、包帯片１９の適用が可能である（図７参照）。
【００２４】
肌に適用すると、包帯片１９の接着力は、十分な強度で肌に接着し（図８参照）、剥離カバー１８の部分４０が引っ張られると、包帯片１９から分離される。
なお、殺菌処置は、包帯片１９を含んでいる剥離カバー１８が小袋を含む保護カバーに固定された後に行えばよい。
【００２５】
以上、本発明による液状、半液状又は粉状の処置物質の使い捨てパッケージングの好適実施例について詳述した。しかし、かかる実施例は、本発明の単なる例示に過ぎず、何ら本発明を限定するものではないことに留意されたい。本発明の要旨や精神を逸脱することなく、特定用途に応じて種々の変形変更が可能であること、当業者には容易に理解できよう。
【図面の簡単な説明】
【００２６】
【図１】本発明の使い捨てパッケージングの好適実施例の上側から見た斜視図である。
【図２】図１に示す使い捨てパッケージングの下側から見た斜視図である。
【図３】図２中の線ＩＩＩ−ＩＩＩに沿う使い捨てパッケージングの断面図である。
【図４】使用のために開けられたパッケージングの斜視図である。
【図５】アプリケータを傷口に適用しようとしている状態を示す図である。
【図６】図１に示すパッケージングの接着性包帯片を一部剥離した状態を示す斜視図である。
【図７】パッケージングの保護カバーから剥離した剥離カバーを傷口に近付けている状態を示す斜視図である。
【図８】剥離カバーの包帯片で傷口を保護している状態を示す斜視図である。
【符号の説明】
【００２７】
１１  使い捨てパッケージング
１２  保護カバー
１３、１４  漏れ防止材料のパーツ
１８  剥離カバー
１９  接着性包帯片
２０  処置用物質
２４  アプリケータ
２５  漏れ防止パーツの内面
２６  フレキシブル材料
２８  フレキシブルで且つ多孔性の材料の小片
３０  輪郭周縁接合ライン
３５  輪郭接合ライン
３６、３７  プルタブ（引張り片）
３９  漏れ防止パーツの外面
４０  ライナー
【図１】
2006516414.tif 000003
【図２】
2006516414.tif 000004
【図３】
2006516414.tif 000005
【図４】
2006516414.tif 000006
【図５】
2006516414.tif 000007
【図６】
2006516414.tif 000008
【図７】
2006516414.tif 000009
【図８】
2006516414.tif 000010
【国際調査報告】
2006516414.tif 000011
2006516414.tif 000012
2006516414.tif 000013
2006516414.tif 000014
2006516414.tif 000015
2006516414.tif 000016